(57)【特許請求の範囲】
【請求項１】
冷蔵室（７）の前面開口部（８）で開閉揺動する観音開き状の一対のドア（９・１０）を有する冷蔵庫であって、
各ドア（９・１０）の揺動軸近傍における冷蔵室内面側に前部棚柱（２３・２４）がそれぞれ設けられており、
前部棚柱（２３・２４）には、複数の掛止穴（２５）が上下方向に所定間隔をあけて設けられており、
これらの掛止穴（２５）には、棚受け具（２６）が着脱自在に取り付けられるようになっており、
両前部棚柱（２３・２４）の掛止穴（２５）に取り付けた棚受け具（２６）間に、冷蔵室（７）内に設けられる棚（１４）の前部を受け止めて支持する棚支持具（２２）が架け渡されており、
一端側が前部棚柱（２３・２４）の掛止穴（２５）に着脱自在に掛止装着され、かつ他端側が棚支持具（２２）上に取り付けられる固定具（３０）を有しており、
この固定具（３０）と棚受け具（２６）とによって棚支持具（２２）の長手方向の両端部が挟持されていることを特徴とする冷蔵庫。
【請求項２】
固定具（３０）に、棚支持具（２２）の上面にビス止めされる当接片（３２）と、当接片（３２）から立設して、前部棚柱（２３・２４）の掛止穴（２５）に嵌め込むことで前部棚柱（２３・２４）に掛止装着される掛止片（３３）とを備えている請求項１記載の冷蔵庫。
【請求項３】
棚受け具（２６）は、短冊状の板材をフ字状に折り曲げるとともに、この上下両端部をそれぞれ上下に折り曲げることで構成してあり、
棚受け具（２６）のフ字状部分を弾性変形させて、前部棚柱（２３・２４）の上下方向の掛止穴（２５）に上下両端部をそれぞれ嵌め込むことで、棚受け具（２６）が前部棚柱（２３・２４）に掛止装着されるようになっている請求項１又は２記載の冷蔵庫。
【請求項４】
棚受け具（２６）の上面には、棚（１４）が棚受け具（２６）から外れるのを防ぐためのピン（２７）を立設してある請求項１ないし３のいずれかに記載の冷蔵庫。
【請求項５】
冷蔵室（７）の前面開口部（８）には、観音開き状の第１ドア（９・１０）とは別の第２ドア（１１）が設けられており、
冷蔵室（７）の前側に、第２ドア（１１）の揺動先端側を受け止める支柱（１２）が設けられており、
この支柱（１２）の後面には、前部棚柱（２３・２４）のうちの一方の棚柱（２３）が配置されている請求項１ないし４のいずれかに記載の冷蔵庫。
【発明の詳細な説明】
【０００１】
【発明の属する技術分野】
本発明は、観音開き状の一対のドアを有するセンターフリータイプの冷蔵庫に関する。
【０００２】
【従来の技術】
従来、例えば業務用の横型冷蔵庫の一つとして、図１０および図１１に示すようなセンターフリータイプの冷蔵庫が知られている。これは、冷蔵室４０の前面開口部に観音開き状の一対のドア４１・４２を開閉揺動自在に設ける一方、前面開口部においてドア４１・４２の揺動先端側を受け止めるための支柱を省略したものである。この種の冷蔵庫における冷蔵室４０内には、室内スペースを有効に活用するため、食材などを載置するための網棚４３が必要に応じて配置される。この場合、冷蔵室４０内の後面およびその近傍の側面に後部棚柱４４を、冷蔵室４０内の前面およびその近傍の側面に前部棚柱４５・４６をそれぞれ備え、これらの棚柱に着脱自在に棚受け具４７を掛止装着して、これらの棚受け具４７により網棚４３を受け止めて支持している。
【０００３】
このようなセンターフリータイプの冷蔵庫は、冷蔵室４０の前面開口部に支柱がないために冷蔵室４０の前面開口部を広く使え、精肉・鮮魚などの大きな食材や料理済みの食材を冷蔵室４０内へ容易に出し入れできるといった利点がある。その反面、前面開口部の幅が広くなった分だけ前部棚柱４５・４６間の距離も大きくなり、これらの前部棚柱４５・４６によって前側部分を支持される網棚４３の横幅寸法も大きくならざるを得ないことから、網棚４３上に載置された食材の重量によって網棚４３の前部が撓むおそれが生じる。このため、従来、網棚４３の枠を形成するパイプのうち、前側のパイプを太くして網棚４３の剛性を高めることを行っていた。
【０００４】
【発明が解決しようとする課題】
ところが、上述のような横幅寸法の大きな専用の網棚４３を使用したセンタフリータイプの冷蔵庫では、センターフリータイプに比べて間口の狭い通常タイプの冷蔵庫と網棚を共通使用できないという問題がある。また、比較的背の高い食材や容器などの場合、冷蔵室４０内に網棚４３を配置したままでは収容することができない。このため、例えば瓶のように横方向のスペースをあまり取らない縦長のものを収める場合でも網棚４３を取り外す必要があるが、その場合、残りのスペースには、網棚があれば複数段に載置できる食材などであっても網棚がないために１段にしか収容できないことから、その上方のスペースが無駄になってしまう。
【０００５】
本発明の目的は、観音開き状のドアを有するセンターフリータイプの冷蔵庫において、センターフリータイプでない通常タイプの冷蔵庫との間で棚を共通使用でき、かつ比較的背の高い縦長の食材などとそうでない食材などとを効率よく収容できるようにすることにある。本発明の他の目的は、観音開き状のドアの隣に別のドアを設けたセンターフリータイプの冷蔵庫において、当該別のドアの揺動先端側を受け止める支柱を利用して、センターフリーでない通常タイプの冷蔵庫との間で棚を共通使用でき、かつ比較的背の高い縦長の食材などとそうでない食材などとを効率よく収容できるようにすることにある。
【０００６】
【課題を解決するための手段】
本発明に係る冷蔵庫は、例えば図１に示すごとく冷蔵室７の前面開口部８で開閉揺動する観音開き状の一対のドア９・１０を有する。そして、各ドア９・１０の揺動軸近傍における冷蔵室内面側に前部棚柱２３・２４をそれぞれ設けている。前部棚柱２３・２４には、複数の掛止穴２５を上下方向に所定間隔をあけて設けている。これらの掛止穴２５には、棚受け具２６が着脱自在に取り付けられるようになっている。両前部棚柱２３・２４の掛止穴２５に取り付けた棚受け具２６間には、冷蔵室７内に設けられる棚１４の前部を受け止めて支持する棚支持具２２を架け渡している。一端側が前部棚柱２３・２４の掛止穴２５に着脱自在に掛止装着され、かつ他端側が棚支持具２２上に取り付けられる固定具３０を有し、この固定具３０と棚受け具２６とによって棚支持具２２の長手方向の両端部を挟持するようになっている。棚支持具２２は、鉄鋼板、ステンレス鋼板などで形成することができる。ここでの冷蔵庫は、観音開き状の第１ドア９・１０とは別の第２ドア（図示例では片開き式ドア）１１を設けたものも含み、また冷凍庫および保温庫などを含んでいる。棚１４には網棚やトレイ状のもの、更には板状のものなどが含まれる。
【０００７】
固定具３０に、棚支持具２２の上面にビス止めされる当接片３２と、当接片３２から立設して、前部棚柱２３・２４の掛止穴２５に嵌め込むことで前部棚柱２３・２４に掛止装着される掛止片３３とを備えているものとすることができる。棚受け具２６は、短冊状の板材をフ字状に折り曲げるとともに、この上下両端部をそれぞれ上下に折り曲げることで構成してあり、棚受け具２６のフ字状部分を弾性変形させて、前部棚柱２３・２４の上下方向の掛止穴２５に上下両端部をそれぞれ嵌め込むことで、棚受け具２６が前部棚柱２３・２４に掛止装着されるものとすることができる。棚受け具２６の上面には、棚１４が棚受け具２６から外れるのを防ぐためのピン２７を立設してあるものとすることができる。
【０００８】
冷蔵室７の前面開口部８に、観音開き状の第１ドア９・１０とは別に第２ドア１１を設け、冷蔵室７の前側に、第２ドア１１の揺動先端側を受け止める支柱１２を設けた場合には、支柱１２の後面に、前部棚柱２３・２４のうちの一方の棚柱２３を配置することができる。第２ドア１１は、第１ドア９・１０の一方の揺動軸側、または第１ドア９・１０の両方の揺動軸側にそれぞれ設けることができる。
【０００９】
【作用および発明の効果】
本発明の冷蔵庫によれば、棚支持具２２が棚１４の前部を受け止めて支持することで、前部棚柱２３・２４間の横幅寸法が大きくても、棚１４上に載置された食材の重量によって棚１４の前部が撓むことが防止され、この結果、前側の剛性を高めた専用の棚を用いなくても済む。しかも、前部棚柱２３・２４間の横幅寸法よりも横幅寸法の短い通常のドアのみを有する通常タイプの冷蔵庫の棚などであっても、かかる棚の前部を棚支持具２２で受け止めて支持でき、この結果、観音開き状の第１ドア９・１０を有するセンターフリータイプの冷蔵庫と、通常タイプの冷蔵庫とで棚を共通使用できる。この場合、センターフリータイプの冷蔵庫用と、通常タイプの冷蔵庫用との棚を区別して管理する必要がなく、棚の管理の手間が軽減される。また、例えば食材を収めた縦長の容器３５を収容する場合には、図８に示すごとく横幅寸法の小さい棚１６の前部を棚支持具２２で受け止めて支持することで、縦長の容器３５を棚１６の横側（図８中では右側）に収めながら、背の低い食材を棚１６を使って２段に載置でき、冷蔵室内に比較的背の高い縦長の食材などとそうでない食材などとを効率よく収容できる。
【００１０】
観音開き状の第１ドア９・１０とは別の第２ドア１１の揺動先端側を受け止める支柱１２の後面に、一方の前部棚柱２３が配置されているときには、前部棚柱２３が支柱１２によって隠れ、これが外側から見えず外観上の体裁がよい。棚支持具２２が、従来から使用されている前部棚柱２３・２４の棚受け具２６で受け止められて支持されていると、棚支持具２２を受け止めて支持する構成を新たに設計する必要がないうえ、従来からあるセンターフリータイプの冷蔵庫に、本発明の棚支持具２２をそのまま適用できる。前部棚柱２３・２４および後部棚柱２０の掛止穴２５に棚受け具２６を着脱自在に掛止装着したときには、棚１４の高さ調節を容易に行える。そのうえで棚受け具２６と固定具３０とによって棚支持具２２の長手方向の両端部が挟持されると、棚支持具２２が棚柱２３・２４から外れることがなく、棚支持具２２と棚柱２３・２４との係合状態を確実に維持できる。
【００１１】
【発明の実施の形態】
図１ないし図７は本発明に係る冷蔵庫の一実施例を示しており、図２に示すごとく冷蔵庫本体１と機械室２とを備え、冷蔵庫本体１の底部に脚３を配置してある。機械室２には、冷凍機やコントローラ（いずれも図示せず）、さらにはコントロール用の操作盤４などを配置してあり、機械室２の前面パネル５には冷凍機の放熱用の空気吸い込み口６を配置してある。
【００１２】
冷蔵庫本体１は、ステンレス板材製の角形の内箱および外箱からなる２重壁を有し、内箱と外箱との間に断熱材（例えば発泡樹脂）を充填してある。冷蔵庫本体１内の冷蔵室７の前面開口部８には、観音開き状の一対の第１ドア９・１０と、通常の第２ドア１１とをそれぞれ開閉揺動自在に設けてあり、さらに前面開口部８の左右中間部には第１ドア９・１０の一方のドア９の揺動軸側に、片開き式の第２ドア１１の揺動先端側を受け止める支柱１２を設けてある。
【００１３】
冷蔵室７内には、図１に示すごとく、比較的横幅寸法の小さい第１網棚１３と、これよりも横幅寸法の大きい横長形状の第２網棚１４とが後述する棚支持構造１５で水平姿勢に支持される。第１網棚１３は第２ドア１１側（図１中では左側）に配置され、第２網棚１４は第１ドア９・１０側（図１中では右側）に配置される。棚支持構造１５は、両網棚１３・１４をそれぞれ高さ調節可能にしてあり、第１網棚１３の前後をそれぞれ支持する後部棚柱１７および前部棚柱１８と、第２網棚１４の後部を支持する後部棚柱２０と、第２網棚１４の前部を支持する棚支持具２２とからなる。
【００１４】
つまり図１中の冷蔵室７内の左側部分において、２本の後部棚柱１７が、冷蔵室７の後面にビス止め固定され、２本の前部棚柱１８が、冷蔵室７の前面と支柱１２の後面とにそれぞれビス止めにより固定される。一方、図１中の冷蔵室７内の右側部分において、４本の後部棚柱２０が、冷蔵室７の後面とその近傍の側面とにそれぞれビス止め固定され、棚支持具２２を架け渡すための前部棚柱２３・２４が、各第１ドア９・１０の揺動軸近傍における支柱１２の後面と冷蔵室７の側面とにそれぞれビス止めにより固定されている。
【００１５】
これらの棚柱１７・１８・２０・２３・２４はいずれも同じ構成であり、図５に示すごとくステンレス板材を断面ハット状に形成した枠体からなり、この突壁に、複数個の四角形の掛止穴２５を上下方向に所定間隔をあけて設けてある（図７参照）。また、各棚柱には、図６に示すごとく短冊状のステンレス板材をフ字状に折り曲げるとともに、この上下両端部をそれぞれ上下に折り曲げた棚受け具２６を装着してある。つまり、棚受け具２６は、フ字状部分を弾性変形させて、棚柱の上下方向に隣合う２個の掛止穴２５に上下両端部を嵌め込むことで棚柱に着脱自在に掛止装着されて、かかる棚受け具２６の上面で網棚１３・１４の所定部分を受け止める。棚受け具２６の上面には、網棚１４が棚受け具２６から外れるのを防ぐためのピン２７を立設してある。
【００１６】
棚支持具２２は、図４に示すごとくステンレス板材の前後両端部を下方に折り曲げて、断面コ字状に形成してあり、棚支持具２２の左右両端部には、前部棚柱２３・２４に取り付けられた棚受け具２６のピン２７が嵌合する嵌合穴２８と、固定具３０をビス止めするためのビス穴２９とをそれぞれ設けてある。各固定具３０は、棚支持具２２の上面にビス止めされる当接片３２と、当接片３２から立設して、前部棚柱２３・２４の掛止穴２５に嵌め込むことで前部棚柱２３・２４に掛止装着される掛止片３３とを備えており、当接片３２にはビス挿通穴３１を設けてある。そして、棚支持具２２は、棚受け具２６と固定具３０とで挟み込まれることにより、前部棚柱２３・２４にしっかりと固定される。
【００１７】
本実施例の作用を説明すると、まず各棚柱１７・１８・２０・２３・２４の掛止穴２５の中から所望高さの掛止穴２５を選択し、かかる掛止穴２５に各棚柱の棚受け具２６を掛止装着する。さらに冷蔵室７内の右側部分における左右の前部棚柱２３・２４の棚受け具２６間に棚支持具２２を架け渡した状態で、固定具３０の掛止片３３を前部棚柱２３・２４の掛止穴２５に嵌め込んで前部棚柱２３・２４に掛止装着し、さらに棚支持具２２に固定具３０をビス止めして、棚支持具２２を前部棚柱２３・２４に固定する。
【００１８】
次いで、網棚１３を前後の棚柱１７・１８の各棚受け具２６の上面に載置し、網棚１４を後部棚柱２０の各棚受け具２６の上面と、棚支持具２２の上面とに載置する。この状態で網棚１３・１４によって冷蔵室７内が上下２段に区画される。そして、ドア１１を開いて網棚１３上あるいは冷蔵室７の底部に食材を載置し、また観音開き状の第１ドア９・１０を開いて網棚１４上あるいは冷蔵室７の底部に食材を載置する。網棚１３・１４の高さを変更する場合には、各棚柱の棚受け具２６を掛止装着する掛止穴２５を変更し、これに合わせて固定具３０の掛止片３３を嵌め込む前部棚柱２３・２４の掛止穴２５を変更する。
【００１９】
一方、例えば背の高い容器３５を、観音開き状の第１ドア９・１０側の冷蔵室７内に収容する場合には、図８に示すごとく横長の網棚１４に代えて横幅寸法の小さい網棚１６を、後部棚柱２０の各棚受け具２６の上面と、棚支持具２２の上面とに亘って載置する。この状態で、背の高い容器３５が、網棚１６の横側（図８中では右側）の冷蔵室７の底部に載置され、背の低い食材が、網棚１６上あるいは図８中の左側の冷蔵室７の底部に載置される。また冷蔵室７内の横幅全体にわたる網棚を使用する必要がなく、通常タイプの冷蔵庫に使用されている網棚を使用することができ、この結果センターフリータイプの冷蔵庫と、通常タイプの冷蔵庫との間で網棚を共通使用できる。
【００２０】
図９は本発明に係る冷蔵庫の他の実施例を示しており、この場合の冷蔵庫本体１は、上記実施例のそれよりも横幅寸法が小さく、ドアとして観音開き状の一対のドア９・１０のみを備える。この冷蔵庫は、前部棚柱２３・２４を、各ドア９・１０の揺動軸近傍における冷蔵室の前面両端付近にそれぞれビス止めにより固定される。
【００２１】
網棚１３・１４は上下方向にそれぞれ複数段設けてもよい。棚柱１７・１８・２０・２３・２４の掛止穴２５の形状は棚受け具２６を掛止装着できる形状であればよく、また棚受け具２６の形状は、網棚１３・１４および棚支持具２２を受け止めて支持できる形状であればよく、これらは他の任意の形状を採用することができる。後部棚柱１７・２０は、冷蔵室７の後面あるいは側面の任意の位置および任意の本数を選択できる。
【図面の簡単な説明】
【図１】横断平面図である。
【図２】全体の斜視図である。
【図３】図２のＡ−Ａ線断面図である。
【図４】棚支持具の斜視図である。
【図５】棚支持具の取り付け状態を示す平面図である。
【図６】図５のＢ−Ｂ線断面図である。
【図７】図５のＣ−Ｃ線断面図である。
【図８】本発明に係る冷蔵庫の使い方を説明する説明図である。
【図９】本発明の他の実施例を示す横断平面図である。
【図１０】従来の冷蔵庫の横断平面図である。
【図１１】図１０のＤ−Ｄ線断面図である。
【符号の説明】
７  冷蔵室
８  前面開口部
９・１０  第１ドア
１１  第２ドア
１２  支柱
１４  網棚
２０  後部棚柱
２２  棚支持具
２３・２４  前部棚柱
２５  掛止穴
２６  棚受け具
３０  固定具
【図１】
0004355062.tif 000002
【図２】
0004355062.tif 000003
【図３】
0004355062.tif 000004
【図４】
0004355062.tif 000005
【図５】
0004355062.tif 000006
【図６】
0004355062.tif 000007
【図７】
0004355062.tif 000008
【図８】
0004355062.tif 000009
【図９】
0004355062.tif 000010
【図１０】
0004355062.tif 000011
【図１１】
0004355062.tif 000012